(57)【特許請求の範囲】
【請求項１】
第１のキャビネットと、
前記第１のキャビネットに対し開閉可能な第２のキャビネットと、
前記第１および第２のキャビネットの少なくとも一方に配された表示部と、
前記第２のキャビネットの開放速度を検出する速度検出部と、
前記表示部の明るさを制御する表示制御部とを備え、
前記表示制御部は、前記第２のキャビネットの開放時、前記速度検出部により検出された前記開放速度が低いほど前記表示部の明るさを低下させる、
ことを特徴とする携帯端末装置。
【請求項２】
請求項１において、
前記表示制御部は、前記開放速度が所定の閾値よりも高いとき前記表示部の明るさを第１のレベルに設定し、前記開放速度が前記閾値よりも低いとき前記表示部の明るさを前記第１のレベルよりも低い第２のレベルに設定する、
ことを特徴とする携帯端末装置。
【請求項３】
請求項２において、
前記閾値が複数設定され、各閾値に応じて前記明るさのレベルが段階的に設定されていることを特徴とする携帯端末装置。
【請求項４】
請求項１ないし３の何れか一項において、
操作キーと、
前記操作キーに光りを供給する給光部をさらに備え、
前記給光部は、前記第２のキャビネットの開放時、前記速度検出部により検出された前記開放速度が低いほど前記給光部の輝度を低下させる、
ことを特徴とする携帯端末装置。
【請求項５】
第１のキャビネットと、
前記第１のキャビネットに対し開閉可能な第２のキャビネットと、
前記第１および第２のキャビネットの少なくとも一方に配された表示部と、
前記第２のキャビネットの閉塞速度を検出する速度検出部と、
前記表示部の明るさを制御する表示制御部とを備え、
前記表示制御部は、前記第２のキャビネットの閉塞時、前記速度検出部により検出された前記閉塞速度が高いほど前記表示部の明るさを低下させる、
ことを特徴とする携帯端末装置。
【請求項６】
請求項５において、
前記表示制御部は、前記閉塞速度が所定の閾値よりも低いとき前記表示部の明るさを第１のレベルに設定し、前記閉塞速度が前記閾値よりも高いとき前記表示部の明るさを前記第１のレベルよりも低い第２のレベルに設定する、
ことを特徴とする携帯端末装置。
【請求項７】
請求項６において、
前記閾値が複数設定され、各閾値に応じて前記明るさのレベルが段階的に設定されていることを特徴とする携帯端末装置。
【発明の詳細な説明】
【技術分野】
【０００１】
本発明は、携帯電話機やＰＤＡ（Personal Digital Assistant）等の携帯端末装置に関するものであり、特に、バックライト装置からの照明光を用いて画面を表示する際に用いて好適なものである。
【背景技術】
【０００２】
従来、携帯電話機等に用いられる表示装置は、液晶パネルとバックライト装置との組合せにより構成されるのが一般的である。この構成では、バックライト装置から供給される照明光の輝度によって画面の明るさが決定される。バックライト装置の輝度を適宜調整することにより、使用状況に応じて見易い画面をユーザに提示することができる。
【０００３】
以下の特許文献１には、周囲の明るさに応じてバックライト装置の輝度を調整する技術が記載されている。このように輝度調整を行うことにより、薄暮や夜間にも、適宜、見易い画面をユーザに提示することができる。
【特許文献１】特開２０００−３２４２３９号公報
【発明の開示】
【発明が解決しようとする課題】
【０００４】
上記特許文献１による輝度制御では、周囲が暗いほど、バックライト装置の輝度が高められる。しかしながら、この輝度制御では、表示画面が必ずしも使用状況に適合しない明るさになることが起こり得る。
【０００５】
たとえば、暗くされた映画館や会議場（プロジェクタを使用したプレゼンテーション中）でやむを得ず携帯電話機が使用される場合も考えられる。この場合、上記の輝度制御が行われると、表示装置からの漏れ光によって、周囲の人に迷惑を掛ける惧れがある。このような状況下では、むしろ、表示装置の輝度を下げて、漏れ光を極力抑えるのが望ましい。
【０００６】
本発明は、このような課題を解消するためになされたものであり、暗くされた映画館等でやむを得ず機器が使用される場合にも、できる限り、表示装置からの漏れ光によって周囲の人に迷惑を掛けないようにすることが可能な携帯端末装置を提供することを目的とする。
【課題を解決するための手段】
【０００７】
本発明の第１の態様に係る携帯端末装置は、第１のキャビネットと、前記第１のキャビネットに対し開閉可能な第２のキャビネットと、前記第１および第２のキャビネットの少なくとも一方に配された表示部と、前記第２のキャビネットの開放速度を検出する速度検出部と、前記表示部の明るさを制御する表示制御部とを備え、前記表示制御部は、前記第２のキャビネットの開放時、前記速度検出部により検出された前記開放速度が低いほど前記表示部の明るさを低下させることを特徴とする。
【０００８】
本発明の第２の態様は、第１の態様に係る携帯端末装置において、前記表示制御部は、前記開放速度が所定の閾値よりも高いとき前記表示部の明るさを第１のレベルに設定し、前記開放速度が前記閾値よりも低いとき前記表示部の明るさを前記第１のレベルよりも低い第２のレベルに設定することを特徴とする。
【０００９】
本発明の第３の態様は、第２の態様に係る携帯端末装置において、前記閾値が複数設定され、各閾値に応じて前記明るさのレベルが段階的に設定されていることを特徴とする。
【００１０】
本発明の第４の態様は、第１ないし第３の態様の何れかに係る携帯端末装置において、操作キーと、前記操作キーに光りを供給する給光部をさらに備え、前記給光部は、前記第２のキャビネットの開放時、前記速度検出部により検出された前記開放速度が低いほど前記給光部の輝度を低下させることを特徴とする。
【００１１】
本発明の第５の態様に係る携帯端末装置は、第１のキャビネットと、前記第１のキャビネットに対し開閉可能な第２のキャビネットと、前記第１および第２のキャビネットの少なくとも一方に配された表示部と、前記第２のキャビネットの閉塞速度を検出する速度検出部と、前記表示部の明るさを制御する表示制御部とを備え、前記表示制御部は、前記第２のキャビネットの閉塞時、前記速度検出部により検出された前記閉塞速度が高いほど前記表示部の明るさを低下させることを特徴とする。
【００１２】
本発明の第６の態様は、第５の態様に係る携帯端末装置において、前記表示制御部は、前記閉塞速度が所定の閾値よりも低いとき前記表示部の明るさを第１のレベルに設定し、前記閉塞速度が前記閾値よりも高いとき前記表示部の明るさを前記第１のレベルよりも低い第２のレベルに設定することを特徴とする。
【００１３】
本発明の第７の態様は、第６の態様に係る携帯端末装置において、前記閾値が複数設定され、各閾値に応じて前記明るさのレベルが段階的に設定されていることを特徴とする。
【発明の効果】
【００１４】
表示部や操作キーの明るさが気になる状況下では、ユーザは周囲の状況を気にしながら、第２のキャビネットをゆっくりと開放する傾向にある。上記第１ないし第４の態様では、このように、第２のキャビネットがゆっくりと開放されると、表示部上の画面の明るさが低くされ、また、操作キーの照明が抑えられる。このため、たとえば、暗くされた映画館や会議場で携帯端末装置が使用されるような場合にも、表示部や操作キーから高い光量の光が周囲に漏れることがない。よって、ユーザは、周囲の人に迷惑をかけずに、携帯電話機を使用することができる。
【００１５】
また、表示部の明るさが気になる状況下において第２のキャビネットを閉塞する場合には、ユーザは、開放時とは逆に、第２のキャビネットを素早く閉塞する傾向にある。上記第５ないし第７の態様では、このように、第２のキャビネットが素早く閉塞されると、表示部上の画面の明るさが低くされる。このため、たとえば、暗くされた映画館や会議場で携帯電話機が待機状態（非使用状態）とされる場合にも、表示部から高い光量の光が周囲に漏れ続けることがない。よって、ユーザは、周囲の人に極力迷惑をかけることなく、携帯電話機を待機状態へと移行させ得る。
【００１６】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００１７】
<第１の実施形態＞
以下、本発明の第１の実施形態につき図面を参照して説明する。図１は携帯電話機の外観構成を示す図であり、同図（ａ）は、第１キャビネット１に対して第２キャビネット２をほぼ鉛直に立てた状態を示す側面図、同図（ｂ）は同じ状態での背面図である。同図（ｃ）は回転角検出部３３の構成を示す図である。
【００１８】
携帯電話機は、第１キャビネット１と第２キャビネット２を備える。第１キャビネット１の正面側には、キー操作部１１が設けられている。キー操作部１１には、各種の機能モード（カメラ撮影モード、メール送受信モード、インターネットモード）への切替えキー、通話開始キー、通話終了キー、番号・文字入力キーなどの各種キーが配されている。
【００１９】
キー操作部１１の背後には、バックライト装置１２（以下、「キーバックライト」という）が配されている。キーバックライト１２は、光源となるＬＥＤを備え、キー操作部１１に光を供給する。キー操作部１１の主要なキーは、キーに付された表示の部分が透光性を有するよう構成されており、バックライト１２で照らされることにより表示が光る。これにより、ユーザは、周囲が暗くてもキーに付された表示を見ることができる。
【００２０】
第２キャビネット２の正面側には、やや縦長の矩形状を有する液晶表示パネル２１（以下、「メイン表示パネル」という）が配されており、その表示画面が正面に臨んでいる。メイン表示パネル２１の背後には、バックライト装置２２（以下、「メインバックライト」という）が配されている。メインバックライト２２は、光源となるＬＥＤを備え、メイン表示パネル２１に光を供給する。
【００２１】
第２キャビネット２の背面側には、液晶表示パネル２３（以下、「サブ表示パネル」という）が配されており、その表示画面が背面に臨んでいる。サブ表示パネル２３の背後には、バックライト装置２４（以下、「サブバックライト」という）が配されている。サブバックライト２４は、光源となるＬＥＤを備え、サブ表示パネル２３に光を供給する。サブ表示パネル２３は、メイン表示パネル２１よりも小さなサイズであり、横長の矩形状を有している。サブバックライト２４も、サブ表示パネル２３に合わせ、メインバックライト２２より小さなサイズになっている。
【００２２】
また、第２キャビネット２の内部には、カメラモジュール２５が配されており、第２キャビネット２の背面には、カメラモジュール２５に対応するレンズ窓２６が設けられている。このレンズ窓２６から被写体の像がカメラモジュール２５に取り込まれる。
【００２３】
第２キャビネット２は、ヒンジ部３によって、第１キャビネット１に対し回動可能に連結されている。ヒンジ部３は、第２キャビネット２の連結側端部から左右に延びる一対の回転軸３１と、第１キャビネット１の連結側端部に形成され、回転軸３１を受ける一対の軸受部３２によって構成されている。
【００２４】
第１キャビネット１と第２キャビネット２は、メイン表示パネル２１とキー操作部１１が向かい合った状態となるように折り畳まれる。よって、折り畳まれた状態（閉じた状態）では、メイン表示パネル２１とキー操作部１１が外部から隠れた状態となる。
【００２５】
第２キャビネット２は、閉じた状態（図１（ａ）に一点鎖線で示す）から開き方向に回転されることにより、１８０度近くまで開くことができる。ヒンジ部３には、第２キャビネット２が最後まで開いた位置と、第１キャビネット１と第２キャビネット２とが略９０度となる位置（９０度よりやや大きい角度位置）にクリック感を持たせるよう、図示しないクリック機構が備えられている。第２キャビネット２が開くと、メイン表示パネル２１とキー操作部１１が外部に露出する。
【００２６】
ヒンジ部３には、回転角検出部３３が配されている。回転角検出部３３は、第２キャビネット２が開いたときに、第１キャビネット１に対する第２キャビネット２の回転角度を検出するためのものである。
【００２７】
回転角検出部３３は、図１（ｃ）に示すように、磁石３４と回転角センサ（磁気センサ）３５によって構成されている。磁石３４は、回転軸３１の端面に固着され、第２キャビネット２が開くと、回転軸３１とともに回転する。回転角センサ３５は磁石３４に近接対峙するように軸受部３２に配されている。このとき、磁石３４のＮ極およびＳ極は、回転角センサ３５に平行となっている。磁石３４が回転すると、回転角センサ３５によって、センサ面に対する磁力線の向きの変化が読み取られる。こうして、回転角センサ３５からは、第２キャビネット２の回転角度に応じた検出信号が出力される。
【００２８】
図２は、携帯電話機の全体構成を示すブロック図である。携帯電話機は、上述した各構成要素の他、ＣＰＵ１００、映像エンコーダ１０１、マイク１０２、音声エンコーダ１０３、受光センサ１０４、タイマー１０５、通信モジュール１０６、メモリ１０７、バックライト駆動回路１０８、映像デコーダ１０９、音声デコーダ１１０、スピーカ１１１を備える。
【００２９】
カメラモジュール２５は、撮像レンズ２５１、撮像素子２５２などから構成されている。撮像レンズ２５１は、被写体の像を撮像素子２５２上に結像させる。撮像素子２５２は、例えばＣＣＤからなり、取り込んだ画像に応じた撮像信号を生成し、映像エンコーダ１０１へ出力する。映像エンコーダ１０１は、撮像素子２５２からの撮像信号を、ＣＰＵ１００が処理できるディジタルの撮像信号に変換してＣＰＵ１００へ出力する。
【００３０】
マイク１０２は、音声信号を電気信号に変換して音声エンコーダ１０３へ出力する。音声エンコーダ１０３は、マイク１０２からの音声信号を、ＣＰＵ１００が処理できるディジタルの音声信号に変換してＣＰＵ１００へ出力する。
【００３１】
受光センサ１０４は、携帯電話機の周囲の光を受けて、その受光量に応じた信号をＣＰＵ１００へ出力する。ＣＰＵ１００は、受光センサ１０４で検出された受光量を所定の閾値と比較することで、周囲が明るいか暗いかを判断することができる。
【００３２】
タイマー１０５は、時間を計測してＣＰＵ１００へ出力する。通信モジュール１０６は、ＣＰＵ１００からの音声信号や画像信号、テキスト信号などを無線信号に変換し、アンテナ１０６ａを介して基地局へ送信する。また、アンテナ１０６ａを介して受信した無線信号を音声信号や画像信号、テキスト信号などに変換してＣＰＵ１００へ出力する。
【００３３】
メモリ１０７には、カメラモジュール２５で撮影した画像データや通信モジュール１０６を介して外部から取り込んだ画像データ、テキストデータ（メールデータ）などが所定のファイル形式で保存されている。
【００３４】
メモリ１０７は、ＲＯＭおよびＲＡＭを含む。ＲＯＭには、ＣＰＵ１００を動作させるための制御プログラムが記憶されている。また、ＲＯＭには、メインバックバックライト２２、サブバックライト２４およびキーバックライト１２の輝度（光量）を第２キャビネット２の開閉速度（角速度）に応じて制御するためのテーブルが記憶されている。テーブルの内容は、図３に示す通りである。さらに、ＲＯＭには、このテーブルにおいて、第２キャビネット２の開放速度（角速度）が高速か低速を判定するための閾値（開放閾値）が格納されている。つまり、開放速度（角速度）が開放閾値以上であれば“高速”と判断され、閾値未満であれば“低速”と判断される。同様に、ＲＯＭには、図３のテーブルにおいて、第２キャビネット２の閉塞速度（角速度）が高速か低速を判定するための閾値（閉塞閾値）が格納されており、この閉塞閾値をもとに、第２キャビネット２の閉塞速度（角速度）を判定する。
【００３５】
ＲＡＭには、回転角センサ３５からの検出信号に基づいて算出した角速度データ等のデータが一時的に記憶される。これらデータは、必要に応じてＲＡＭから読み出される。
【００３６】
バックライト駆動回路１０８は、ＣＰＵ１００からの制御信号に応じた電圧信号をメインバックライト２２、サブバックライト２４、キーバックライト１２に供給する。
【００３７】
映像デコーダ１０９は、ＣＰＵ１００からの映像信号をメイン表示パネル２１およびサブ表示パネル２３で表示できるアナログの映像信号に変換し、メイン表示パネル２１およびサブ表示パネル２３に出力する。
【００３８】
音声デコーダ１１０は、ＣＰＵ１００からの音声信号をスピーカ１１１で出力できるアナログの音声信号に変換し、スピーカ１１１に出力する。スピーカ１１１は、音声デコーダ１１０からの音声信号を音声として再生する。
【００３９】
ＣＰＵ１００は、キー操作部１１、撮像素子２５、マイク１０２など各部からの入力信号に基づいて、通信モジュール１０６、映像デコーダ１０９、音声デコーダ１１０などの各部に制御信号を出力することにより、通話処理や各種の機能モードの処理を行う。
【００４０】
さらに、ＣＰＵ１００は、受光センサ１０４および回転角センサ３５からの入力信号に基づき、メモリ１０７に記憶された上記テーブルに従って、バックライト駆動回路１０８に制御信号を出力することにより、メインバックライト２２、サブバックライト２４およびキーバックライト１２を駆動制御する。たとえば、周囲が暗い場合において、第２キャビネット２の開放時の速度（角速度）が遅いときには、開放後にメインバックライト２２およびキーバックライト１２が低輝度となるよう制御される。また、第２キャビネット２の開放時の速度（角速度）が速いときには、開放後にメインバックライト２２およびキーバックライト１２が低輝度となるよう制御される。
【００４１】
図４は、第２キャビネット２の開閉速度と、それに応じて設定される輝度レベルとの関係を説明する図である。同図（ａ）、（ｂ）は開放時のもの、同図（ｃ）、（ｄ）は閉塞時のものである。
【００４２】
ユーザが第２キャビネット２を開放する際、表示画面（バックライト）の明るさが気にならない状況下では、第２キャビネット２が普段通りの速さで開かれる。よって、第２キャビネット２が時間ｔ２だけ掛かって開けられたとき、開閉速度は、図４(ａ)に表された実線の如く変位する。一方、表示画面（バックライト）の明るさが気になる状況下では、ユーザが周りの状況を気にしながら開けるため、第２キャビネット２がゆっくりと開けられる。よって、第２キャビネット２が時間ｔ１だけ掛かって開けられたとき、開閉速度は、同図（ａ）の一点鎖線の如く変位し、その途中の最高速度が普段に比べて低くなる。
【００４３】
そこで、同図（ａ）のように、ユーザが第２キャビネット２を普段通り開ける場合の標準的な最高速度Ｖａ１が想定され、上記開放閾値Ｖｏが、この最高速度Ｖａ１よりも低い値に設定される。そして、図４（ｂ）に示すように、高低２段階の輝度レベルが用意され、検出された開閉速度が開放閾値Ｖｏよりも高い場合は、バックライトの輝度が高輝度に設定され、検出された開閉速度が開放閾値Ｖｏ以下の場合は、バックライトの輝度レベルが低く設定される。
【００４４】
反対に、ユーザが第２キャビネット２を閉塞する際、表示画面（バックライト）の明るさが気にならない状況下では、第２キャビネット２が普段通りの速さで閉じられる。よって、第２キャビネット２が時間ｔ３だけ掛かって閉じられたとき、開閉速度は、図４(ｃ)に表された実線の如く変位する。一方、表示画面（バックライト）の明るさが気になる状況下では、ユーザが周りの状況を気にしながら閉じるため、第２キャビネット２が素早く閉じられる。よって、第２キャビネット２が時間ｔ４だけ掛かって閉じられたとき、開閉速度は、同図（ｃ）の一点鎖の如く変位し、その途中の最高速度が普段に比べて高くなる。
【００４５】
そこで、同図（ｃ）のように、ユーザが第２キャビネット２を普段通り閉じる場合の標準的な最高速度Ｖａ２が想定され、上記閉塞閾値Ｖｃが、この最高速度Ｖａ２よりも高い値に設定される。そして、図４（ｄ）に示すように、高低２段階の輝度レベルが用意され、検出された開閉速度が閉塞閾値Ｖｃ以下の場合は、バックライトの輝度が高輝度に設定され、検出された開閉速度が閉塞閾値Ｖｃより高い場合は、バックライトの輝度レベルが低く設定される。
【００４６】
以下、周囲が暗い場合における、メインバックライト２２、サブバックライト２４、キーバックライト１２の輝度制御を、図５および図６のフローチャートに従って説明する。図５は、周囲が暗い状況で、第２キャビネット２を閉じた状態から開いたときの輝度制御を示すフローチャートである。
【００４７】
第２キャビネット２が閉じられた状態にあるときには、メイン表示パネル２１およびキー操作部１１は隠れた状態にあるので、メインバックライト２２およびキーバックライト１２は消灯されている。また、サブバックライト２４は点灯している。このとき、サブバックライト２４は、低輝度となるよう駆動制御されていても良いし、高輝度となるよう駆動制御されていても良い。
【００４８】
第２キャビネット２が閉じられた状態から、ユーザが第２キャビネット２を開放し始めると、回転軸３２が回動し始めたことが、回転角センサ３５によって検出される。ＣＰＵ１００は、第２キャビネット２が回動し始めたと判断すると（Ｓ１０１：ＹＥＳ）、タイマー１０５を用いて計時を開始する（Ｓ１０２）。
【００４９】
次に、ＣＰＵ１００は、回転角センサ３５からの検出信号によって、第２キャビネット２が一定角度（たとえば、１０度）だけ回動したか否かを判断する（Ｓ１０３）。そして、一定角度回動したと判断すると（Ｓ１０３：ＹＥＳ）、ＣＰＵ１００は、計時を終了し（Ｓ１０４）、一定角度回動するのに要した時間からこの回動区間の角速度を算出する（Ｓ１０５）。
【００５０】
次に、ＣＰＵ１００は、算出した角速度（算出値）が、メモリ１０７に現在保存されている角速度（保存値）よりも大きいか否かを判断し（Ｓ１０６）、大きければ、（Ｓ１０６：ＹＥＳ）、その算出値を保存値に置き換えてメモリ１０７に保存する（Ｓ１０７）。一方、算出値が保存値以下であれば（Ｓ１０６：ＮＯ）、現在の保存値をそのまま保存しておく。なお、初回の算出では、メモリ１０７に保存値がないため、算出値がそのまま保存される。
【００５１】
次に、ＣＰＵ１００は、第２キャビネット２の回動が停止したか否かを判断する（Ｓ１０８）。ＣＰＵ１００は、第２キャビネット２が回動し続けていると判断すると（Ｓ１０８：ＮＯ）、ステップ１０２に戻って、ステップＳ１０２からステップＳ１０７の動作を実行する。すなわち、次の回動区間の角速度を算出し、その算出値がそのときにメモリ１０７に保存されている角速度より大きければ、当該算出値をメモリ１０７に上書きする。
【００５２】
こうして、ステップＳ１０８で第２キャビネット２が停止したと判断されるまで、角速度が順次算出され、角速度がそれまで最大であった角速度を超える度に、メモリ１０７に保存された角速度が更新されていく。これにより、第２キャビネット２が停止して、角速度の検出が終了するときには、最大の角速度がメモリ１０７に保存されていることになる。
【００５３】
次に、ＣＰＵ１００は、第２キャビネット２が停止したと判断すると（Ｓ１０８：ＹＥＳ）、メモリ１０７に保存された最大角速度を読み出して、予め定められた開放閾値Ｖｏと比較する（Ｓ１０９）。最大角速度が開放閾値Ｖｏよりも大きければ（Ｓ１０９：ＹＥＳ）、ＣＰＵ１００は、メインバックライト２２が高輝度で点灯するよう設定し、また、サブバックバックライト２４が消灯するよう設定し、さらに、キーバックライト１２が高輝度で点灯するよう設定する（Ｓ１１０）。
【００５４】
一方、最大角速度が開放閾値Ｖｏ以下であれば（Ｓ１０９：ＮＯ）、ＣＰＵ１００は、メインバックライト２２が低輝度で点灯するよう設定し、また、サブバックバックライト２４が消灯するよう設定し、さらに、キーバックライト１２が低輝度で点灯するよう設定する（Ｓ１１１）。
【００５５】
ＣＰＵ１００は、３つのバックライトを上記の設定の通り駆動するようにバックライド駆動回路１０８へ制御信号を出力する。これにより、バックライト駆動回路１０８は、サブバックライト２４への電圧信号の供給を停止するとともに、メインバックライト２２およびキーバックライト１２に対して、設定に応じた電圧信号を供給する（Ｓ１１２）。こうして、メインバックライト２２およびキーバックライト１２は、第２キャビネット２が相対的に速く開かれれば、高輝度で点灯し、第２キャビネット２が相対的に遅く開かれれば、低輝度で点灯する。
【００５６】
上述のように、開放閾値Ｖｏは、ユーザが第２キャビネット２を普段通り開けた場合に想定される角速度よりも低い値に設定されている。よって、周囲が暗い中、ユーザが、表示画面からの明かり漏れを気にしないで、普段通りの速さで第２キャビネット２を開けたときには、メインバックライト２１およびキーバックライト１２が高輝度で点灯することなる。一方、ユーザが、表示画面からの光漏れを気にするがゆえに、第２キャビネット２をゆっくりと開けたときには、メインバックライト２１およびキーバックライト１２が低輝度で点灯することになる。
【００５７】
このように、図５の輝度制御によれば、ユーザがメイン表示パネル２１やキー操作部１１からの明かり漏れを気にするような状況下、たとえば、暗くされた映画館や会議場等で、携帯電話機が使用されるときには、メインバックライト２１およびキーバックライト１２を低輝度で点灯させることができるので、ユーザは、周囲の人に極力迷惑をかけることなく携帯電話機の使用を行うことができる。
【００５８】
図６は、第２キャビネット２を開いた状態から閉じたときの輝度制御を示すフローチャートである。第２キャビネット２が開かれた状態にあるときには、メイン表示パネル２１が使用されているのでサブ表示パネル２３は使用されておらず、サブバックライト２４は消灯されている。このとき、メインバックライト２２およびキーバックライト１２は、低輝度となるよう駆動制御されていても良いし、高輝度となるよう駆動制御されていても良い。
【００５９】
第２キャビネット２が開かれた状態から、ユーザが第２キャビネット２を閉じ始めると、回転軸３２が回動し始めたことが、回転角センサ３５によって検出される。このときの輝度制御は、回動方向が異なるだけであって、最大角速度を求める動作（ステップＳ１０１〜Ｓ１０８の動作）までは、第２キャビネット２を開く場合と同様である。
【００６０】
ＣＰＵ１００は、最大角速度を取得すると、この最大角速度を予め定めた閉塞閾値Ｖｃと比較し（Ｓ１１３）、最大角速度が閉塞閾値Ｖｃより大きければ（Ｓ１１３：ＹＥＳ）、メインバックライト２２が消灯するよう設定し、また、サブバックライト２４が低輝度で点灯するよう設定し、さらに、キーバックライト１２が消灯するよう設定する（Ｓ１１４）。
【００６１】
一方、最大角速度が閉塞閾値Ｖｃ以下であれば（Ｓ１１３：ＮＯ）、ＣＰＵ１００は、メインバックライト２２が消灯するよう設定し、また、サブバックライト２４が高輝度で点灯するよう設定し、さらに、キーバックライト１２が消灯するよう設定する（Ｓ１１５）。
【００６２】
こうして、ＣＰＵ１００からの制御信号によって、バックライト駆動回路１０８は、メインバックライト２２およびキーバックライト１２の電圧信号の供給を停止するとともに、サブバックライト２４に対して、設定に応じた電圧信号を供給する（Ｓ１１２）。これにより、サブバックライト２４は、第２キャビネット２が相対的に速く閉じられれば、低輝度で点灯し、第２キャビネット２が相対的に遅く閉じられれば、高輝度で点灯する。
【００６３】
上述のように、閉塞閾値Ｖｃは、ユーザが第２キャビネット２を普段通り閉じた場合に想定される角速度よりも高い値に設定されている。よって、周囲が暗い中、ユーザが、表示画面からの明かり漏れを気にしないで、普段通りの速さで第２キャビネット２を閉じたときには、サブバックライト２４が高輝度で点灯することなる。一方、ユーザが、表示画面からの光漏れを気にするがゆえに、第２キャビネット２を素早く閉じたときには、サブバックライト２４が低輝度で点灯することになる。
【００６４】
こうして、ユーザがサブ表示パネル２３からの明かり漏れを気にするような状況下、たとえば、暗くされた映画館や会議場等で、携帯電話機が閉じられて待機状態になったときに、サブバックライト２４を低輝度で点灯させることができるので、周囲の人に極力迷惑をかけることなく携帯電話機を待機状態にできる。
【００６５】
なお、周囲が明るい場合も、上記テーブルに従って、上記と同様の輝度制御が行われる。上記輝度制御と異なるのは、キーバックライト１２が常に消灯される点である。これは、周囲が明るいときには、キー操作部１１に光を当てなくても、キーに付された表示がよく見えるからである。
【００６６】
＜第２の実施形態＞
以下、本発明の第２の実施形態につき図面を参照して説明する。図７は携帯電話機の外観構成を示す図であり、同図（ａ）は、第１キャビネット１に対して第２キャビネット２をスライドさせ、テンキー部１３を露出させた状態を示す正面図、同図（ｂ）は同じ状態での側面図である。同図（ｃ）は同図（ｂ）のＡ−Ａ´断面図である。
【００６７】
携帯電話機は、第１キャビネット１と第２キャビネット２を備える。第１キャビネット１には、テンキー部１３が設けられている。テンキー部１３には、複数個の番号・文字入力キーが配されている。テンキー部１３の背後には、第１の実施形態と同様、キーバックライト１２が配されている。これにより、ユーザは、周囲が暗くても各キーに付された表示を見ることができる。
【００６８】
第２キャビネット２には、第１の実施形態同様、メイン表示パネル２１、メインバックライト２２、カメラモジュール２５およびレンズ窓２６が配されている。
【００６９】
第２キャビネット２には、さらに、正面側にメインキー部２７が配されている。メインキー部２７には、各種の機能モード（カメラ撮影モード、メール送受信モード、インターネットモード）への切替えキー、通話開始キー、通話終了キーなどが配されている。
【００７０】
第２キャビネット２は、スライド機構部４によって、第１キャビネット１に対し長手方向（図７（ｂ）のＸ軸方向）にスライド可能に連結されている。図７（ｃ）に示すように、スライド機構４は、カイド板４１とカイド溝４２によって構成されている。カイド板４１は、第２キャビネット２の背面の左右両端部に設けられており、その下端に突条４１ａを有する。カイド溝４２は、第１キャビネット１の側面に、スライド方向（図７（ｂ）のＸ軸方向）に沿って形成されている。カイド板４１の突条４１ａは、カイド溝４２に係合されている。
【００７１】
携帯電話機を閉じた状態では、図７（ｂ）に一点鎖線に示すように、第２キャビネット２が第１キャビネット１の上に略完全に重なっている。この状態（閉じた状態）では、第２キャビネット２の背後にテンキー部１３が隠れた状態となる。第２キャビネット２は、カイド板４１がガイド溝４２の終端位置に達するまでスライドする（開く）ことができる。第２キャビネット２が完全に開くと、テンキー部１３が外部に露出する。
【００７２】
第１キャビネット１と第２キャビネット２には、第２キャビネット２の開閉を検出するための開閉検出部５が配されている。開閉検出部５は、第１キャビネット１側に設けられた閉センサ５１および開センサ５２と、第２キャビネット２側に設けられた磁石５３によって構成されている。磁石５３は、第２キャビネット２の端部に配されており、閉センサ５１は、第２キャビネット２が完全に閉じたときに、磁石５３に近接する位置に配されている。一方、開センサ５２は、第２キャビネット２が完全に開いたときに、磁石５３に近接する位置に配されている。閉センサ５１および開センサ５２は、たとえば、ホール素子で構成され、磁石５３の磁力に反応して検出信号を出力する。第２キャビネット２が閉じた状態から開いた状態となると、閉センサ５１からオフ信号が出力され、開センサ５２からオン信号が出力される。反対に、第２キャビネット２が開いた状態から閉じた状態になると、開センサ５２からオフ信号が出力され、閉センサ５１からオン信号が出力される。
【００７３】
第２キャビネット２の内部には、加速度センサ２８が配されている。加速度センサ２８は、スライド方向の加速度を検出するように配されている。
【００７４】
図８は、携帯電話機の全体構成を示すブロック図である。この実施形態の携帯電話機では、第１の実施形態のキー操作部１１に替えて、メインキー部２７およびテンキー部１３が配され、回転角センサ３５に替えて加速度センサ２８が配されている。また、閉センサ５１および開センサ５２が付加され、サブ表示パネル２３およびサブバックライト２４が除かれている。さらに、メモリ１０７には、図３に示すテーブルに代えて図９に示すテーブルが記憶されている。その他の構成は、第１の実施形態と同様である。
【００７５】
上記構成に基づく、本実施の形態のメインバックライト２２、キーバックライト１２の輝度制御（周囲が暗い場合）を、図１０および図１１のフローチャートに従って説明する。図１０は、周囲が暗い状況で、第２キャビネット２を閉じた状態から開いたときの輝度制御を示すフローチャートである。
【００７６】
第２キャビネット２が閉じられた状態にあるときには、テンキー部１３は隠れた状態にあるので、キーバックライト１２は消灯されている。また、携帯電話機が待機状態である場合には、メインバックライト２２も消灯されている。この状態で携帯電話機に着信があれば、メインバックライト２２が点灯される。このとき、メインバックライト２２は、低輝度となるよう駆動制御されていても良いし、高輝度となるよう駆動制御されていても良い。
【００７７】
第２キャビネット２が閉じられた状態から、ユーザが第２キャビネット２を開放し始めると、閉センサ５１からオフ信号が出力される。ＣＰＵ１００は、第２キャビネット２がスライドし始めたと判断すると（Ｓ２０１：ＹＥＳ）、タイマー１０５を用いて計時を開始する（Ｓ２０２）。
【００７８】
次に、ＣＰＵ１００は、一定時間（たとえば、０．１秒）が経過したか否かを判断し（Ｓ２０３）、一定時間が経過したと判断すると（Ｓ２０３：ＹＥＳ）、計時を終了し（Ｓ２０４）、加速度センサ２８からの検出信号に基づいて加速度を検出する（Ｓ２０５）。そして、検出した加速度を積分演算することにより速度を算出する（Ｓ２０６）。
【００７９】
次に、ＣＰＵ１００は、算出した速度（算出値）が、メモリ１０７に現在保存されている速度（保存値）よりも大きいか否かを判断し（Ｓ２０７）、大きければ、（Ｓ２０７：ＹＥＳ）、その算出値を保存値に置き換えてメモリ１０７に保存する（Ｓ２０８）。一方、算出値が保存値以下であれば（Ｓ２０７：ＮＯ）、現在の保存値をそのまま保存しておく。なお、初回の算出では、メモリ１０７に保存値がないため、算出値がそのまま保存される。
【００８０】
次に、ＣＰＵ１００は、第２キャビネット２のスライドが停止したか否かを判断する（Ｓ２０９）。ＣＰＵ１００は、第２キャビネット２がスライドし続けていると判断すると（Ｓ２０９：ＮＯ）、ステップ２０２に戻って、ステップＳ２０２からステップＳ２０８の動作を実行する。
【００８１】
こうして、ステップＳ２０９で第２キャビネット２が停止したと判断されるまで、速度が順次算出され、算出された速度がそのときメモリに保存されている速度よりも大きくなる度に、メモリ１０７内の速度が更新されていく。これにより、第２キャビネット２が停止して、速度の検出が終了するときには、最大の速度がメモリ１０７に保存されていることになる。
【００８２】
次に、ＣＰＵ１００は、第２キャビネット２が停止したと判断すると（Ｓ２０９：ＹＥＳ）、メモリ１０７に保存された最大速度を読み出して、予め定められた開放閾値Ｖｏと比較する（Ｓ２１０）。第２の実施形態における開放閾値Ｖｏも、第１の実施形態同様、ユーザが第２キャビネット２を普通に（普段通り）開ける場合に想定される速度よりも低い値に設定されている。
【００８３】
ＣＰＵ１００は、最大速度が開放閾値Ｖｏよりも大きければ（Ｓ２１０：ＹＥＳ）、メインバックライト２２およびキーバックライト１２が高輝度で点灯するよう設定する（Ｓ２１１）。一方、最大速度が開放閾値以下であれば（Ｓ２１０：ＮＯ）、メインバックライト２２およびキーバックライト１２が低輝度で点灯するよう設定する（Ｓ２１２）。
【００８４】
ＣＰＵ１００は、３つのバックライトを上記の設定の通り駆動するようにバックライド駆動回路１０８へ制御信号を出力する。これにより、バックライト駆動回路１０８は、メインバックライト２２およびキーバックライト１２に設定に応じた電圧信号を供給する（Ｓ２１３）。こうして、メインバックライト２２およびキーバックライト１２は、第２キャビネット２が相対的に速く開かれれば、高輝度で点灯し、第２キャビネット２が相対的に遅く開かれれば、低輝度で点灯する。
【００８５】
こうして、第２の実施形態においても、第１の実施形態と同様、ユーザがメイン表示パネル２１やテンキー部１３からの明かり漏れを気にするような状況下、たとえば、暗くされた映画館や会議場等で、携帯電話機が使用されるときには、メインバックライト２１およびキーバックライト１２を低輝度で点灯させることができるので、周囲の人に極力迷惑をかけることなく携帯電話機の使用を行うことができる。
【００８６】
図１１は、周囲が暗い状況で、第２キャビネット２を開いた状態から閉じたときの輝度制御を示すフローチャートである。第２キャビネット２が開かれた状態にあるときには、メインバックライト２２およびキーバックライト１２は、低輝度となるよう駆動制御されていても良いし、高輝度となるよう駆動制御されていても良い。
【００８７】
第２キャビネット２が開かれた状態から、ユーザが第２キャビネット２を閉じ始めると、開センサ５２からオフ信号が出力される。このときの制御は、スライド方向が異なるだけであって、最大速度を求める動作（ステップＳ２０１〜Ｓ２０９の動作）までは、第２キャビネット２を開く場合と同様である。
【００８８】
ＣＰＵ１００は、最大速度を取得すると、その最大速度を予め定めた閉塞閾値Ｖｃと比較する（Ｓ１１３）。第２の実施形態における閉塞閾値Ｖｃも、第１の実施形態同様、ユーザが第２キャビネットを普通に（普段通り）閉じる場合に想定される速度よりも高い値に設定されている。
【００８９】
ＣＰＵ１００は、最大速度が閉塞閾値Ｖｃより大きければ（Ｓ２１４：ＹＥＳ）、メインバックライト２２が低輝度で点灯するよう設定し、また、キーバックライト１２が消灯するよう設定する（Ｓ２１５）。一方、最大速度が閉鎖閾値Ｖｃ下であれば（Ｓ２１４：ＮＯ）、ＣＰＵ１００は、メインバックライト２２が高輝度で点灯するよう設定し、さらに、キーバックライト１２が消灯するよう設定する（Ｓ２１６）。
【００９０】
こうして、ＣＰＵ１００からの制御信号によって、バックライト駆動回路１０８は、キーバックライト１２の電圧信号の供給を停止するとともに、メインバックライト２２に設定に応じた電圧信号を供給する（Ｓ２１３）。これにより、メインバックライト２２は、第２キャビネット２が相対的に速く閉じられれば、低輝度で点灯し、第２キャビネット２が相対的に遅く閉じられれば、高輝度で点灯する。
【００９１】
こうして、第２の実施形態においても、第１の実施形態と同様、ユーザがメイン表示パネル２１からの明かり漏れを気にするような状況下、たとえば、暗くされた映画館や会議場で、携帯電話機が待機状態になったときに、メインバックライト２２を低輝度で点灯させることができるので、ユーザは、周囲の人に極力迷惑をかけることなく携帯電話機を待機状態にできる。
【００９２】
＜その他＞
以上、本発明の実施形態について説明したが、本発明はこれに限定されるものではなく、また、本発明の実施形態も、上記以外に種々の変更が可能である。
【００９３】
たとえば、第１の実施形態では、回転角センサ３５を用いて開閉時の角速度を算出するようにしているが、これに限らず、加速度センサを用いても良い。この場合、加速度センサは、図１（ａ）に示すＸ軸方向およびＹ軸方向の加速度を検出できるものが使用される。そして、Ｘ軸方向の加速度とＹ軸方向の加速度が検出され、これらを合成した加速度から積分演算によって速度が算出される。
【００９４】
また、第２の実施形態では、加速度センサ２８を用いて開閉時の速度を算出しているが、これに限らず、速度が直接検出できる速度センサを用いても良い。
【００９５】
さらに、第２の実施形態では、第２キャビネット２がスライドしているときに第１キャビネット１が同方向にスライドすると、第２キャビネット２の第１キャビネット１に対する速度が、実際よりも大きく検出される惧れがある。
【００９６】
そこで、このような場合に検出精度を向上させるため、以下のようにしても良い。すなわち、第２キャビネット２がスライドを開始する前（開き始める前）から加速度を検出しておく。そして、スライドを開始する直前に加速度が検出されれば、第１キャビネット１が移動しており、それがスライド中にも継続されると考えられるので、スライド中に検出された加速度から、その直前の加速度を差し引くようにする。もしくは、加速度センサを第１キャビネット１側にも配しておき、第２キャビネット２側の加速度センサで検出した加速度と第１キャビネット１側の加速度センサで検出した加速度との差を求めるようにしても良い。こうすると、第２キャビネット２のスライド速度をより正確に検出することができる。
【００９７】
さらに、第１の実施形態および第２の実施形態では、閾値を一つとしているが、これに限らず、閾値を複数設定し、開閉速度に応じてさらに細かく輝度を調整するようにしても良い。
【００９８】
たとえば、図１２に示す構成例では、輝度レベルが５段階に設定されているとともに、開放閾値Ｖｏおよび閉塞閾値Ｖｃを、それぞれ４つずつ設けている。開放閾値Ｖｏは、図１２（ａ）に示すように、最も高い閾値Ｖｏ４が、上述した標準的な最高速度Ｖａ１と同じに設定され、それより速度が小さくなる方向に、所定の間隔で３つの閾値Ｖｏ３、Ｖｏ２、Ｖｏ１が設定されている。こうして、図１２（ｂ）に示すように、開放時の開閉速度と閾値Ｖｏ１〜Ｖｏ４との関係に応じて、輝度レベルが、最も低いレベル１から最も高いレベル５の間で調整される。
【００９９】
また、閉塞閾値Ｖｃは、図１２（ｃ）に示すように、最も低い閾値Ｖｃ１が、上述した標準的な最高速度Ｖａ２と同じに設定され、それより速度が大きくなる方向に、所定の間隔で３つの閾値Ｖｃ２、Ｖｃ３、Ｖｃ４が設定されている。こうして、図１２（ｄ）に示すように、閉塞時の開閉速度と閾値Ｖｃ１〜Ｖｃ４との関係に応じて、輝度レベルが、最も高いレベル５から最も低いレベル１の間で調整される。
【０１００】
このような構成とすれば、ユーザは、使用状況に応じて、メイン表示パネル等の明かりの調整をより細かく行うことができる。
【０１０１】
さらに、第１の実施形態および第２の実施形態では、第２キャビネット２の標準的な最高速度を想定し、この最高速度を基準として開放閾値Ｖｏや閉塞閾値Ｖｃが設定されている。しかし、ユーザそれぞれ、普段通りに開閉したときの開閉速度は異なるため、必ずしも設定された閾値がユーザにとって最適なものとならないこともある。
【０１０２】
そこで、たとえば、閾値設定のためのテストモードを設け、テストモードにおいて、ユーザに、複数回、第２キャビネット２を開閉してもらい、取得した複数の最高速度の平均値を求め、これに基づいて開放閾値Ｖｏや閉塞閾値Ｖｃを設定するようにしても良い。このような構成とすれば、ユーザそれぞれに応じた閾値の設定ができるので、より良い輝度制御を行うことができる。
【０１０３】
さらに、第１の実施形態および第２の実施形態では、開閉中に検出した複数の速度（角速度）のうちの最高速度を閾値と比較するようにしたが、これに限らず、複数の速度の平均値を算出し、この平均値を閾値と比較するようにしても良い。
【０１０４】
さらに、第１の実施形態では、メイン表示パネル２１およびサブ表示パネル２２が第２キャビネット２側に設けられているが、これに限らず、少なくともどちらか一方が第１キャビネット１側に設けられても良い。
【０１０５】
また、上記実施の形態では、メイン表示パネル２１が第２のキャビネット２のみに配置されているが、第１のキャビネット１と第２のキャビネット２の両方にメイン表示パネルが配されていてもよく、また、メイン表示パネル２１の配置面も、上記以外の面に設定することも可能である。
【０１０６】
この他、本発明の実施の形態は、特許請求の範囲に示された技術的思想の範囲内において、適宜、種々の変更が可能である。
【図面の簡単な説明】
【０１０７】
【図１】第１の実施形態に係る携帯電話機の外観構成を示す図
【図２】第１の実施形態に係る携帯電話機の全体構成を示すブロック図
【図３】第１の実施形態に係る輝度制御のためのテーブルを示す図
【図４】第１の実施形態に係る第２キャビネット２の開閉速度と、それに応じて設定される輝度レベルとの関係を説明する図
【図５】第１の実施形態に係る、周囲が暗い状況で第２キャビネットを閉じた状態から開いたときの輝度制御を示すフローチャート
【図６】第１の実施形態に係る、周囲が暗い状況で第２キャビネットを開いた状態から閉じたときの輝度制御を示すフローチャート
【図７】第２の実施形態に係る携帯電話機の外観構成を示す図
【図８】第２の実施形態に係る携帯電話機の全体構成を示すブロック図
【図９】第２の実施形態に係る輝度制御のためのテーブルを示す図
【図１０】第２の実施形態に係る、周囲が暗い状況で第２キャビネットを閉じた状態から開いたときの輝度制御を示すフローチャート
【図１１】第２の実施形態に係る、周囲が暗い状況で第２キャビネットを開いた状態から閉じたときの輝度制御を示すフローチャート
【図１２】開放閾値および閉塞閾値を複数設定する構成例を説明するための図
【符号の説明】
【０１０８】
１      第１キャビネット（第１のキャビネット）
２      第２キャビネット（第２のキャビネット）
１２    キーバックライト（給光部）
２１    メイン表示パネル（表示部）
２２    メインバックライト（表示部）
２３    サブ表示パネル（表示部）
２４    サブバックライト（表示部）
２８    加速度センサ（速度検出部）
３３    回転角検出部（速度検出部）
１００  ＣＰＵ（速度検出部、表示制御部）
【図１】
0004979620.tif 000002
【図２】
0004979620.tif 000003
【図３】
0004979620.tif 000004
【図４】
0004979620.tif 000005
【図５】
0004979620.tif 000006
【図６】
0004979620.tif 000007
【図７】
0004979620.tif 000008
【図８】
0004979620.tif 000009
【図９】
0004979620.tif 000010
【図１０】
0004979620.tif 000011
【図１１】
0004979620.tif 000012
【図１２】
0004979620.tif 000013